(57)【要約】【課題】ローカル信号の３次高調波と妨害波とのミキシング成分を抑圧することにより、受信性能の劣化を防ぐ。【解決手段】ミキサ回路１は、入力信号ＩＮ１−ＩＮ２が入力される差動トランジスタ対を備え、入力信号ＩＮ１−ＩＮ２とローカル信号ＬＯ１−ＬＯ２とをミキシングして出力するミキサ回路であって、上記差動トランジスタ対を構成するトランジスタＱ１、Ｑ２のコレクタ間に接続された直列共振回路２を具備する。【選択図】図１
2009188954.tif 000002
【特許請求の範囲】
【請求項１】
入力信号が入力される差動トランジスタ対を備え、
上記入力信号とローカル信号とをミキシングして出力するミキサ回路であって、
上記差動トランジスタ対を構成する２つのトランジスタのコレクタ間に接続されたＬＣ共振回路を具備することを特徴とするミキサ回路。
【請求項２】
請求項１記載のミキサ回路において、上記ＬＣ共振回路に直列にスイッチを接続することを特徴とするミキサ回路。
【請求項３】
上記ＬＣ共振回路が有するキャパシタの容量値を可変にすることを特徴とする請求項１または２に記載のミキサ回路。
【請求項４】
上記キャパシタの容量値を、上記ローカル信号の周波数に対応して変化させる容量値可変手段を備えることを特徴とする請求項３に記載のミキサ回路。
【請求項５】
上記ＬＣ共振回路が有する、インダクタとキャパシタとを半導体基板上に形成することを特徴とする請求項１〜４のいずれか１項に記載のミキサ回路。
【請求項６】
上記ＬＣ共振回路が有する、インダクタとキャパシタとは、それぞれチップ部品であることを特徴とする請求項１〜４のいずれか１項に記載のミキサ回路。
【請求項７】
上記ＬＣ共振回路が有するインダクタをＷＬＣＳＰ再配線で形成し、かつ上記ＬＣ共振回路が有するキャパシタはチップ部品であること特徴とする請求項１〜４のいずれか１項に記載のミキサ回路。
【請求項８】
請求項１〜７のいずれか１項に記載のミキサ回路を備えたことを特徴とする半導体装置。
【請求項９】
請求項８に記載の半導体装置を備えたことを特徴とする通信装置。
【請求項１０】
デジタルＴＶ放送受信機であることを特徴とする請求項９に記載の通信装置。
【請求項１１】
請求項９または１０に記載の通信装置を備えたことを特徴とする電子機器。
【発明の詳細な説明】
【技術分野】
【０００１】
本発明は、ミキサ回路及びそれを備えた半導体装置、通信装置、電子機器に関するものである。
【背景技術】
【０００２】
従来のミキサ回路を図２に示す。
【０００３】
入力信号ＩＮ１は、トランジスタＱ１のベースに入力され、反転入力信号ＩＮ２は、トランジスタＱ２のベースに入力される。
【０００４】
ローカル信号ＬＯ１は、トランジスタＱ３のベース及びトランジスタＱ６のベースに入力され、反転ローカル信号ＬＯ２は、トランジスタＱ４のベース及びトランジスタＱ５のベースに入力される。
【０００５】
トランジスタＱ１のベースとトランジスタＱ２のベースとは、共通の電流源Ｉ０の入力に接続されており、電流源Ｉ０の出力は、電気的に接地されている。
【０００６】
トランジスタＱ１のコレクタは、トランジスタＱ３のエミッタ及びトランジスタＱ４のエミッタに接続されており、トランジスタＱ２のコレクタは、トランジスタＱ５のエミッタ及びトランジスタＱ６のエミッタに接続されている。
【０００７】
負荷抵抗Ｒ１は、一端を電源に、他端をトランジスタＱ３のコレクタ及びトランジスタＱ５のコレクタに接続されている。負荷抵抗Ｒ２は、一端を電源に、他端をトランジスタＱ４のコレクタ及びトランジスタＱ６のコレクタに接続されている。
【０００８】
出力信号ＯＵＴ１は、トランジスタＱ３のコレクタとトランジスタＱ５のコレクタとの接続点から出力される。反転出力信号ＯＵＴ２は、トランジスタＱ４のコレクタとトランジスタＱ６のコレクタとの接続点から出力される。
【０００９】
以降、説明のため、入力信号ＶＩＮ、ローカル信号ＶＬＯ、及び出力信号ＶＯＵＴを以下のように定義する。
【００１０】
ＶＩＮ＝ＩＮ１−ＩＮ２  （１）
ＶＬＯ＝ＬＯ１−ＬＯ２  （２）
ＶＯＵＴ＝ＯＵＴ１−ＯＵＴ２                                （３）
また、電流源Ｉ０の電流はＩ０とし、負荷抵抗Ｒ１及び負荷抵抗Ｒ２の抵抗値は同一でＲとする。
【００１１】
トランジスタＱ１のコレクタ電流Ｉ１及びトランジスタＱ２のコレクタ電流Ｉ２は、以下に示す式（４）及び式（５）で表せる。ここで、ＶＴ＝ｋＴ／ｑ：熱電圧、ｋ：ボルツマン定数、ｑ：電子の単位電荷、Ｔ：絶対温度である。
【００１２】
【数１】
2009188954.tif 000003
【００１３】
【数２】
2009188954.tif 000004
【００１４】
また同様に、トランジスタＱ３のコレクタ電流Ｉ３、トランジスタＱ４のコレクタ電流Ｉ４、トランジスタＱ５のコレクタ電流Ｉ５、及びトランジスタＱ６のコレクタ電流Ｉ６は、それぞれ以下に示す式（６）〜式（９）で表せる。
【００１５】
【数３】
2009188954.tif 000005
【００１６】
【数４】
2009188954.tif 000006
【００１７】
【数５】
2009188954.tif 000007
【００１８】
【数６】
2009188954.tif 000008
【００１９】
従って、出力信号ＶＯＵＴは、以下に示す式（１０）で表せる。式（１０）に示されるように、出力信号ＶＯＵＴは、入力信号ＶＩＮとローカル信号ＶＬＯとの積を含むものとなっている。
【００２０】
【数７】
2009188954.tif 000009
【００２１】
ここで、入力信号ＶＩＮの周波数をｆＩＮ、ローカル信号ＶＬＯの周波数をｆＬＯ、出力信号ＶＯＵＴの周波数をｆＯＵＴとすると、周波数ｆＯＵＴは、以下に示す式（１１）で表せる。
【００２２】
ｆＯＵＴ＝ｆＩＮ−ｆＬＯ                                  （１１）
通常、図２に示す従来のミキサ回路を使用して入力信号の周波数を下げることをダウンコンバートと呼び、ほぼ全ての受信装置に使用されている。
【００２３】
図２に示す従来のミキサ回路と同様にダウンコンバートを行うミキサ回路を用いるものとして、特許文献１では、入力信号の基本波を奇数倍の周波数に変換し、出力振幅の安定化及びスプリアス特性の向上を図ることができる広帯域周波数逓倍器が開示されている。
【特許文献１】特開２００６−３４５００９号公報（２００６年１２月２１日公開）
【発明の開示】
【発明が解決しようとする課題】
【００２４】
図２に示す従来のミキサ回路に入力されるローカル信号ＶＬＯは、所謂大きな信号であることが多く、周波数ｆＬＯのローカル信号ＶＬＯのみならず、その３次高調波である周波数３ｆＬＯの信号も同時に図２のミキサ回路に入力される。
【００２５】
近年、携帯機器利用者向けにワンセグ放送（日本）およびＤＶＢ−Ｈ（欧州）等の地上デジタル放送のサービスが急速に普及しており、携帯機器自身が発する妨害電波がデジタル放送チャネルの３倍の周波数関係にあるとき受信品質が著しく劣化してしまう。
【００２６】
例えば、図３に示すように、ワンセグ放送(ｆＬＯ＝６５０ＭＨｚ)と、該ワンセグ放送の３倍の周波数関係にある、携帯電話自身が発するＷ−ＣＤＭＡ携帯妨害波（３ｆＬＯ＝１９５０ＭＨｚ）を同時に受信すると、３次高調波のミキシングが起こり、ローカル信号の３次高調波と上記Ｗ−ＣＤＭＡ携帯妨害波とのミキシング成分が、所望帯域にダウンコンバートされるからである。
【００２７】
ワンセグ放送のように、Ｌｏｗ−ＩＦ方式を用いて４３０ｋＨｚの帯域幅を持つ所望波をＩＦ周波数ｆＩＦ＝５００ｋＨｚにダウンコンバートする場合、所望波の周波数をｆＤ、ローカル信号の周波数をｆＬＯとすれば、ｆＤ＝（ｆＬＯ＋ｆＩＦ）と表すことができる。所望波の３倍の周波数関係にある妨害波の周波数ｆＵが、以下の式（１２）で示される周波数である場合に最も受信品質が劣化する。また、式（１２）が成立する場合、周波数が３ｆＬＯであるローカル信号の３次高調波と、周波数がｆＵである携帯妨害信号とのミキシング成分の周波数が、所望波の周波数ｆＤと同一になる。
【００２８】
ｆＵ＝３ｆＬＯ−ｆＩＦ＝３（ｆＤ−ｆＩＦ）−ｆＩＦ＝３ｆＤ−４ｆＩＦ  （１２）
チューナは、同じ周波数の信号を区別できず、同一周波数にあるノイズ含めた信号を復調しようとする。一方でチューナは、異なる周波数の信号は区別し、不要な周波数の信号を復調の対象から外す。携帯電話用の信号は、テレビ放送の信号の受信時には不要な信号であり、ノイズ同じ扱いとなる。上記不要な信号が、テレビ放送の信号と同じ周波数において大きなレベルで重ね合わされると、上記不要な信号が異なる周波数に現れる場合と比較して受信性能が大きく劣化する。
【００２９】
また、６５０ＭＨｚのデジタルＴＶ放送を受信しているとき、１９５０ＭＨｚのＷ−ＣＤＭＡ妨害波がｆＵ＝３ｆＤの関係を満たすため、ワンセグ放送の視聴に支障をきたすこととなる。
【００３０】
本発明は、上記従来の問題点に鑑みなされたものであって、その目的は、ローカル信号の３次高調波と妨害波とのミキシング成分を抑圧することにより、受信性能の劣化を防ぐことが可能なミキサ回路及びそれを備えた半導体装置、通信装置、電子機器を提供することにある。
【課題を解決するための手段】
【００３１】
本発明のミキサ回路は、上記課題を解決するために、入力信号が入力される差動トランジスタ対を備え、上記入力信号とローカル信号とをミキシングして出力するミキサ回路であって、上記差動トランジスタ対を構成する２つのトランジスタのコレクタ間に接続されたＬＣ共振回路を具備することを特徴とする。
【００３２】
上記発明によれば、特定の周波数、即ち上記ＬＣ共振回路の共振周波数付近の周波数における利得を著しく小さくすることが出来る。よって、上記ミキサ回路は、上記共振周波数と上記ローカル信号の３次高調波の周波数とを等しくすることにより、上記ローカル信号の３次高調波を抑圧出来る。従って、上記ミキサ回路を備える系において上記ローカル信号の３次高調波と上記妨害波とのミキシング成分を抑圧することが出来、上記ミキシング成分により受信性能が劣化することを防ぐことが出来る。
【００３３】
上記ミキサ回路では、上記ＬＣ共振回路に直列にスイッチを接続してもよい。
【００３４】
これにより、上記スイッチが遮断された場合、上記ＬＣ共振回路を上記ミキサ回路から切り離すことが可能となる。よって、上記特定の周波数における利得を小さくする場合と小さくしない場合の選択が可能となり、所望波と妨害波の周波数関係により、上記ミキシング成分の抑圧を行うか否かの選択が可能となる。
【００３５】
上記ミキサ回路では、上記ＬＣ共振回路が有するキャパシタの容量値を可変にしてもよい。
【００３６】
これにより、上記共振周波数を変更することが可能となり、さらに広い周波数範囲で上記ミキシング成分を抑圧することができる。
【００３７】
上記ミキサ回路では、上記キャパシタの容量値を、上記ローカル信号の周波数に対応して変化させる容量値可変手段を備えてもよい。
【００３８】
これにより、上記容量値可変手段は、上記ローカル信号の周波数の変化を検知し、該周波数の変化に対応して、例えば容量値を変化させるための信号を上記キャパシタに出力して容量値を変化させる。よって、上記ミキサ回路は、上記キャパシタの容量値を、上記ローカル信号の周波数に対応して変化させるので、上記ローカル信号の周波数が変化しても上記共振周波数を常に最適に選択することが可能となる。従って、上記ミキサ回路は、上記ローカル信号の３次高調波を抑圧出来、上記ローカル信号の周波数を変化させた場合でも、上記ミキサ回路を備える系において上記ミキシング成分を抑圧することが出来る。
【００３９】
上記ミキサ回路では、上記ＬＣ共振回路が有する、インダクタとキャパシタとを半導体基板上に形成してもよい。
【００４０】
これにより、ＩＣのみで上記ミキシング成分の対策を行うことが可能となる。
【００４１】
上記ミキサ回路では、上記ＬＣ共振回路が有する、インダクタとキャパシタとは、それぞれチップ部品であってもよい。
【００４２】
これにより、高いＱ値を持つ共振回路が実現出来るので、上記インダクタ及び上記キャパシタを半導体基板上に形成する場合よりも効果のあるミキシング成分の抑圧が可能となる。
【００４３】
上記ミキサ回路では、上記ＬＣ共振回路が有するインダクタをＷＬＣＳＰ再配線で形成し、かつ上記ＬＣ共振回路が有するキャパシタはチップ部品であってもよい。
【００４４】
これにより、ＩＣ内部にインダクタが形成されないため、上記インダクタ及び上記キャパシタを半導体基板上に形成する場合よりもチップ面積を縮小することが可能となる。
【００４５】
本発明の半導体装置は、上記いずれかのミキサ回路を備えているので、上記ミキシング成分を抑圧することが出来る。
【００４６】
本発明の通信装置は、上記半導体装置を備えているので、上記ミキシング成分により受信性能が劣化することを防ぐことが出来る。
【００４７】
また、本発明の通信装置は、デジタルＴＶ放送受信機であってもよい。
【００４８】
これにより、デジタルＴＶ放送受信時に、上記ミキシング成分により受信性能が劣化することを防ぐことが出来る。
【００４９】
本発明の電子機器は、上記いずれかの通信装置を備えているので、上記ミキシング成分により受信性能が劣化することを防ぐことが出来る。
【発明の効果】
【００５０】
本発明のミキサ回路は、以上のように、入力信号が入力される差動トランジスタ対を備え、上記差動トランジスタ対が有する２つのトランジスタのコレクタ間にＬＣ共振回路を具備するものである。
【００５１】
それゆえ、ローカル信号の３次高調波と妨害波とのミキシング成分を抑圧することにより、受信性能の劣化を防ぐことが可能なミキサ回路及びそれを備えた半導体装置、通信装置、電子機器を提供するという効果を奏する。
【発明を実施するための最良の形態】
【００５２】
本発明の一実施形態について図１に基づいて説明すれば、以下の通りである。
【００５３】
図１に本発明の実施形態に係るミキサ回路１の回路図を示す。ミキサ回路１は、トランジスタＱ１〜Ｑ６、負荷抵抗Ｒ１、Ｒ２、電流源Ｉ０、インダクタＬ及びキャパシタＣを備えている。
【００５４】
入力信号ＩＮ１は、トランジスタＱ１のベースに入力され、反転入力信号ＩＮ２は、トランジスタＱ２のベースに入力される。
【００５５】
ローカル信号ＬＯ１は、トランジスタＱ３のベース及びトランジスタＱ６のベースに入力され、反転ローカル信号ＬＯ２は、トランジスタＱ４のベース及びトランジスタＱ５のベースに入力される。
【００５６】
トランジスタＱ１のベースとトランジスタＱ２のベースとは、共通の電流源Ｉ０の入力に接続されており、電流源Ｉ０の出力は、電気的に接地されている。
【００５７】
トランジスタＱ１のコレクタは、トランジスタＱ３のエミッタ及びトランジスタＱ４のエミッタに接続されており、トランジスタＱ２のコレクタは、トランジスタＱ５のエミッタ及びトランジスタＱ６のエミッタに接続されている。
【００５８】
負荷抵抗Ｒ１は、一端を電源に、他端をトランジスタＱ３のコレクタ及びトランジスタＱ５のコレクタに接続されている。負荷抵抗Ｒ２は、一端を電源に、他端をトランジスタＱ４のコレクタ及びトランジスタＱ６のコレクタに接続されている。
【００５９】
出力信号ＯＵＴ１は、トランジスタＱ３のコレクタとトランジスタＱ５のコレクタとの接続点から出力される。反転出力信号ＯＵＴ２は、トランジスタＱ４のコレクタとトランジスタＱ６のコレクタとの接続点から出力される。
【００６０】
インダクタＬ及びキャパシタＣは、直列共振回路を構成し、トランジスタＱ１のコレクタとトランジスタＱ２のコレクタとの間に追加されている。より具体的には、インダクタＬの一端は、トランジスタＱ１のコレクタに接続され、インダクタＬの他端は、キャパシタＣの一端に接続されている。そして、キャパシタＣの他端は、トランジスタＱ２のコレクタに接続されている。
【００６１】
ここで、入力信号ＶＩＮ、ローカル信号ＶＬＯ、及び出力信号ＶＯＵＴを以下のように定義する。
【００６２】
ＶＩＮ＝ＩＮ１−ＩＮ２  （１３）
ＶＬＯ＝ＬＯ１−ＬＯ２  （１４）
ＶＯＵＴ＝ＯＵＴ１−ＯＵＴ２                                  （１５）
また、電流源Ｉ０の電流はＩ０とし、負荷抵抗Ｒ１及び負荷抵抗Ｒ２の抵抗値は同一でＲとする。
【００６３】
直列共振回路２のインピーダンスＺは、直列共振回路２に流れる電流の周波数が式（１６）で表される共振周波数ｆ０の時に最小となる。
【００６４】
【数８】
2009188954.tif 000010
【００６５】
直列共振回路２のインピーダンスＺが低い場合、トランジスタＱ３のエミッタとトランジスタＱ４のエミッタとで構成される差動対から出力される電流Ｉ１’と、トランジスタＱ５のエミッタとトランジスタＱ６のエミッタとで構成される差動対から出力される電流Ｉ２’の差が小さくなる。
【００６６】
ここで、仮にＩ１’＝Ｉ２’＝Ｉ０／２とすると、トランジスタＱ３〜Ｑ６のそれぞれのコレクタに流れる電流Ｉ３〜Ｉ６は、以下の式（１７）〜（２０）で示すことが出来る。
【００６７】
【数９】
2009188954.tif 000011
【００６８】
【数１０】
2009188954.tif 000012
【００６９】
【数１１】
2009188954.tif 000013
【００７０】
【数１２】
2009188954.tif 000014
【００７１】
従って、出力信号ＶＯＵＴは、以下の式（２１）で示すことが出来、Ｉ１’＝Ｉ２’＝Ｉ０／２の場合はミキサ回路１から差動信号が出力されなくなる。実際には、寄生抵抗等の影響があるため、直列共振回路２のインピーダンスＺの最小値が０になることはないが、周波数が共振周波数ｆ０付近である信号については、インピーダンスＺが低くなるので、利得を下げることができる。
【００７２】
【数１３】
2009188954.tif 000015
【００７３】
以上のように、本実施形態に係るミキサ回路１は、直列共振回路２の共振周波数ｆ０付近の周波数における利得を著しく小さくすることが出来るので、共振周波数ｆ０とローカル信号ＶＬＯの３次高調波の周波数とを等しくすることにより、ローカル信号ＶＬＯの３次高調波を抑圧出来る。従って、ミキサ回路１を備える系においてローカル信号ＶＬＯの３次高調波と上記妨害波とのミキシング成分を抑圧することが出来、上記ミキシング成分により受信性能が劣化することを防ぐことが出来る。
【００７４】
また、ミキサ回路１は、直列共振回路２に直列にスイッチを接続し、上記スイッチが遮断された場合、直列共振回路２をミキサ回路１から切り離すことが可能となるように構成してもよい。これにより、上記特定の周波数における利得を小さくする場合と小さくしない場合の選択が可能となり、所望波と妨害波の周波数関係により、上記ミキシング成分の抑圧を行うか否かの選択が可能となる。
【００７５】
本実施の形態においてキャパシタＣの容量値は必ずしも固定である必要は無く、可変にしてもよい。キャパシタＣの容量値を可変とすることで、共振周波数ｆ０を変更することが可能となり、さらに広い周波数範囲で上記ミキシング成分を抑圧することが出来る。
【００７６】
その上、ミキサ回路１が容量値可変部３を備えてもよい。容量値可変部３は、キャパシタＣの容量値をローカル信号ＶＬＯの周波数に対応して変化させる。具体的には、ローカル信号ＶＬＯを容量値可変部３に入力し、容量値可変部３にてローカル信号ＶＬＯの周波数の変化を検知し、該周波数の変化に対応してキャパシタＣに信号を出力し、キャパシタＣの容量値を変化させる。容量値可変部３は、例えばロジック回路により構成しても良い。
【００７７】
ローカル信号ＶＬＯの周波数は、例えばミキサ回路１を備えるチューナを使用するユーザにより変更される。例えば、ユーザが１３チャンネルの番組を見るために、リモコンを押すことによりチャンネルを設定すると、ローカル信号ＶＬＯの周波数が１３チャンネルに対応する周波数になるようにチューナが動作を始める。この際、チューナ内部においてローカル信号ＶＬＯの周波数を変更させる処理と同時に、容量値可変部３がキャパシタＣの容量値を変化させる信号を生成し、キャパシタＣに送信することにより、キャパシタＣの容量値が変化する。
【００７８】
これにより、容量値可変部３は、ローカル信号ＶＬＯの周波数の変化を検知し、該周波数の変化に対応して、容量値を変化させるための信号をキャパシタＣに出力出来る。よって、ミキサ回路１は、キャパシタＣの容量値を、ローカル信号ＶＬＯの周波数に対応して変化させることが出来るので、ローカル信号ＶＬＯの周波数が変化しても共振周波数ｆ０を常に最適に選択することが可能となる。従って、ミキサ回路１は、ローカル信号ＶＬＯの３次高調波を抑圧出来、ローカル信号ＶＬＯの周波数を変化させた場合でも、ミキサ回路１を備える系において上記ミキシング成分を抑圧することが出来る。
【００７９】
本実施形態に係るミキサ回路で１は、インダクタＬ及びキャパシタＣを半導体基板上に形成してもよい。これにより、ＩＣのみで上記ミキシング成分の対策を行うことが可能となる。
【００８０】
インダクタＬとキャパシタＣとは、半導体基板上に形成する代りに、それぞれチップ部品であってもよい。これにより、高いＱ値（尖鋭度）を持つ共振回路が実現出来るので、インダクタＬ及びキャパシタＣを半導体基板上に形成する場合よりも効果のあるミキシング成分の抑圧が可能となる。さらに、インダクタＬを、ＷＬＣＳＰ（ウエハレベルチップサイズパッケージ）再配線で形成し、かつキャパシタＣをチップ部品としてもよい。これにより、ＩＣ内部にインダクタが形成されないため、インダクタＬ及びキャパシタＣを半導体基板上に形成する場合よりもチップ面積を縮小することが可能となる。
【００８１】
本実施形態に記載のミキサ回路１を備えた半導体装置は、上記ミキシング成分を抑圧することが出来、該半導体装置を備えた通信装置は、上記ミキシング成分により受信性能が劣化することを防ぐことが出来る。また、上記通信装置は、デジタルＴＶ放送受信機であってもよく、デジタルＴＶ放送受信時に、上記ミキシング成分により受信性能が劣化することを防ぐことが出来る。従って、上記いずれかの通信装置を備えた電子機器は、上記ミキシング成分により受信性能が劣化することを防ぐことが出来る。
【００８２】
〔実施形態の総括〕
本発明の実施形態に係るミキサ回路１は、入力信号ＶＩＮが入力される差動トランジスタ対を備え、入力信号ＶＩＮとローカル信号ＶＬＯとをミキシングして出力するミキサ回路であって、上記差動トランジスタ対を構成するトランジスタＱ１、Ｑ２のコレクタ間に接続された直列共振回路２を具備する。
【００８３】
上記構成によれば、特定の周波数、即ち直列共振回路２の共振周波数ｆ０付近の周波数における利得を著しく小さくすることが出来る。よって、ミキサ回路１は、共振周波数ｆ０とローカル信号ＶＬＯの３次高調波の周波数とを等しくすることにより、ローカル信号ＶＬＯの３次高調波を抑圧出来る。従って、ミキサ回路１を備える系においてローカル信号ＶＬＯの３次高調波と上記妨害波とのミキシング成分を抑圧することが出来、上記ミキシング成分により受信性能が劣化することを防ぐことが出来る。
【００８４】
ミキサ回路１では、直列共振回路２に直列にスイッチを接続してもよい。
【００８５】
これにより、上記スイッチが遮断された場合、直列共振回路２をミキサ回路１から切り離すことが可能となる。よって、上記特定の周波数における利得を小さくする場合と小さくしない場合の選択が可能となり、所望波と妨害波の周波数関係により、上記ミキシング成分の抑圧を行うか否かの選択が可能となる。
【００８６】
ミキサ回路１では、直列共振回路２が有するキャパシタＣの容量値を可変にしてもよい。
【００８７】
これにより、共振周波数ｆ０を変更することが可能となり、さらに広い周波数範囲で上記ミキシング成分を抑圧することが出来る。
【００８８】
ミキサ回路１では、キャパシタＣの容量値を、ローカル信号ＶＬＯの周波数に対応して変化させる容量値可変部３を備えてもよい。
【００８９】
これにより、容量値可変部３は、ローカル信号ＶＬＯの周波数の変化を検知し、該周波数の変化に対応して、例えば容量値を変化させるための信号をキャパシタＣに出力して容量値を変化させる。よって、ミキサ回路１は、キャパシタＣの容量値を、ローカル信号ＶＬＯの周波数に対応して変化させるので、ローカル信号ＶＬＯの周波数が変化しても共振周波数ｆ０を常に最適に選択することが可能となる。従って、ミキサ回路１は、ローカル信号ＶＬＯの３次高調波を抑圧出来、ローカル信号ＶＬＯの周波数を変化させた場合でも、ミキサ回路１を備える系において上記ミキシング成分を抑圧することが出来る。
【００９０】
ミキサ回路１では、直列共振回路２が有する、インダクタＬとキャパシタＣとを半導体基板上に形成してもよい。
【００９１】
これにより、ＩＣのみで上記ミキシング成分の対策を行うことが可能となる。
【００９２】
ミキサ回路１では、直列共振回路２が有する、インダクタＬとキャパシタＣとは、それぞれチップ部品であってもよい。
【００９３】
これにより、高いＱ値を持つ共振回路が実現出来るので、インダクタＬ及びキャパシタＣを半導体基板上に形成する場合よりも効果のあるミキシング成分の抑圧が可能となる。
【００９４】
ミキサ回路１では、直列共振回路２が有するインダクタＬをＷＬＣＳＰ再配線で形成し、かつ直列共振回路２が有するキャパシタＣはチップ部品であってもよい。
【００９５】
これにより、ＩＣ内部にインダクタが形成されないため、インダクタＬ及びキャパシタＣを半導体基板上に形成する場合よりもチップ面積を縮小することが可能となる。
【００９６】
本発明の実施形態に係る半導体装置は、ミキサ回路１を備えているので、上記ミキシング成分を抑圧することが出来る。
【００９７】
本発明の実施形態に係る通信装置は、上記半導体装置を備えているので、上記ミキシング成分により受信性能が劣化することを防ぐことが出来る。
【００９８】
また、本発明の実施形態に係る通信装置は、デジタルＴＶ放送受信機であってもよい。これにより、デジタルＴＶ放送受信時に、上記ミキシング成分により受信性能が劣化することを防ぐことが出来る。
【００９９】
本発明の実施形態に係る電子機器は、上記いずれかの通信装置を備えているので、上記ミキシング成分により受信性能が劣化することを防ぐことが出来る。
【産業上の利用可能性】
【０１００】
本発明のミキサ回路は、所望波と３倍の周波数関係にある不要な帯域外妨害電波受信時の３倍高調波ミキシングによる受信品質の低下を緩和し、かつ外付け部品の削減による小型化の要求を満たすので、地上デジタル放送を受信可能な携帯機器に好適に利用することが出来る。
【図面の簡単な説明】
【０１０１】
【図１】本発明の実施形態に係るミキサ回路の回路図である。
【図２】従来のミキサ回路の回路図である。
【図３】３次高調波のミキシングによる弊害の例を示す図である。
【符号の説明】
【０１０２】
１  ミキサ回路
２  直列共振回路（ＬＣ共振回路）
Ｃ  キャパシタ
Ｉ０  電流源
Ｉ１〜Ｉ６  コレクタ電流
Ｉ１’、Ｉ２’  電流
ＩＮ１  入力信号
ＩＮ２  反転入力信号
Ｌ  インダクタ
ＬＯ１  ローカル信号
ＬＯ２  反転ローカル信号
ＯＵＴ１  出力信号  
ＯＵＴ２  反転出力信号
Ｑ１〜Ｑ６  トランジスタ
Ｒ１、Ｒ２  負荷抵抗
Ｚ  インピーダンス
ｆ０  共振周波数
ｆＩＦ  ＩＦ周波数
ｆＤ、ｆＩＮ、ｆＬＯ、ｆＯＵＴ、ｆＵ  周波数
【図１】
2009188954.tif 000016
【図２】
2009188954.tif 000017
【図３】
2009188954.tif 000018